(57)【要約】【課題】バックライトユニットが提供される。【解決手段】本発明の実施例によるバックライトユニットは、複数の光源と、前記光源から放出された光が入射するように前記光源と交互に配置される複数の導光板と、前記光源と前記導光板とを格納するシャーシとを含み、前記複数の導光板は、前記シャーシの中央領域に向かうように対称をなして互いに離隔配置され、前記中央領域で向い合う一対の導光板は、互いに連結されて光が混合されることを特徴とする。【選択図】図１
2011096634.tif 000002
【特許請求の範囲】
【請求項１】
複数の光源と、
前記光源から放出された光が入射するように前記光源と交互に配置される複数の導光板と、
前記光源と前記導光板とを格納するシャーシと、
を含み、
前記複数の導光板は、前記シャーシの中央領域に向かうように対称をなして互いに離隔配置され、前記中央領域で向い合う一対の導光板は、互いに連結されて光が混合されることを特徴とするバックライトユニット。
【請求項２】
前記中央領域に配置される前記導光板は、一側面に光が入射する入光面を備え、前記入光面と対向する他側面に他の入光面を備えて、一対の入光面が前記導光板の中央領域を挟んで対称をなすことを特徴とする請求項１に記載のバックライトユニット。
【請求項３】
前記複数の光源は、それぞれ前記シャーシの中央領域方向に光を放出することを特徴とする請求項１に記載のバックライトユニット。
【請求項４】
前記光源は、
前記シャーシの底面に水平に配置され、回路配線を備える基板と、
ＬＥＤチップが前記導光板の入光面に向かうように前記基板上に垂直に実装される複数のＬＥＤパッケージとを含むことを特徴とする請求項１に記載のバックライトユニット。
【請求項５】
前記ＬＥＤパッケージは、前記回路配線と電気的に連結されるリード端子を本体の側面に沿って備え、前記側面を通じて前記基板上に実装されることを特徴とする請求項４に記載のバックライトユニット。
【請求項６】
前記リード端子は、前記本体の後面と水平に前記本体の短軸方向側面からそれぞれ突き出る第１のリードと、前記第１のリードの端部から垂直に折り曲げられて前記本体の正面に向かって延長され、一端部が前記本体の長軸方向側面に向かって垂直に折り曲げられて形成される第２のリードとを含むことを特徴とする請求項５に記載のバックライトユニット。
【請求項７】
前記第２のリードは、前記本体の短軸方向側面及び長軸方向側面と平行に形成され、全体的に「Ｌ」字状を有することを特徴とする請求項６に記載のバックライトユニット。
【請求項８】
前記光源は、前記複数のＬＥＤパッケージに備えられる各ＬＥＤチップが同一方向に向かうように、前記複数のＬＥＤパッケージが前記バー状の基板上に配列されることを特徴とする請求項４に記載のバックライトユニット。
【請求項９】
前記導光板は、前記入光面と対向する側端面に反射層をさらに備えることを特徴とする請求項１に記載のバックライトユニット。
【請求項１０】
前記導光板の上部に配置され、光が提供される光学シートをさらに含むことを特徴とする請求項１に記載のバックライトユニット。
【請求項１１】
複数の光源と、
前記光源から放出された光が入射するように前記光源と交互に配置される複数の導光板と、
前記光源と前記導光板とを格納するシャーシと、
を含み、
前記複数の導光板は、前記シャーシの中央領域に向かうように対称をなして互いに離隔配置され、前記複数の光源のうち導光板と他の導光板との間にそれぞれ配置される光源は、隣接した両側の導光板に光を放出して光が混合されることを特徴とするバックライトユニット。
【請求項１２】
前記複数の光源は、各光源に隣接した導光板の入光面と他の導光板の側端面との間で、前記入光面と前記側端面との両方向に光を放出することを特徴とする請求項１１に記載のバックライトユニット。
【請求項１３】
前記光源は、
前記シャーシの底面に水平に配置され、回路配線を備える基板と、
ＬＥＤチップが前記導光板の入光面に向かうように前記基板上に垂直に実装される複数のＬＥＤパッケージとを含むことを特徴とする請求項１１に記載のバックライトユニット。
【請求項１４】
前記ＬＥＤパッケージは、前記回路配線と電気的に連結されるリード端子を本体の側面に沿って備え、前記側面を通じて前記基板上に実装されることを特徴とする請求項１３に記載のバックライトユニット。
【請求項１５】
前記リード端子は、前記本体の後面と水平に前記本体の短軸方向側面からそれぞれ突き出る第１のリードと、前記第１のリードの端部から垂直に折り曲げられて前記本体の正面に向かって延長され、一端部が前記本体の長軸方向側面に向かって垂直に折り曲げられて形成される第２のリードとを含むことを特徴とする請求項１４に記載のバックライトユニット。
【請求項１６】
前記第２のリードは、前記本体の短軸方向側面及び長軸方向側面と平行に形成され、全体的に「Ｌ」字状を有することを特徴とする請求項１５に記載のバックライトユニット。
【請求項１７】
前記光源は、前記複数のＬＥＤパッケージに備えられる各ＬＥＤチップが向かう方向が、それぞれに隣接する他のＬＥＤチップが向かう方向と１８０度変更されるように、前記複数のＬＥＤパッケージが前記バー状の基板上に交互に配列されることを特徴とする請求項１３に記載のバックライトユニット。
【請求項１８】
前記複数のＬＥＤパッケージが交互に配列される前記光源は、互いに隣接する導光板間の境界領域に配置されることを特徴とする請求項１７に記載のバックライトユニット。
【請求項１９】
前記導光板の上部に配置され、光が提供される光学シートをさらに含むことを特徴とする請求項１１に記載のバックライトユニット。
【発明の詳細な説明】
【技術分野】
【０００１】
本発明は、バックライトユニットに関し、より詳しくは、ＬＥＤパッケージを光源として採用し、ディスプレイ装置の照明などに使われることができるバックライトユニットに関する。
【背景技術】
【０００２】
現在、様々な種類の画像表示装置が使われており、このような画像表示装置の主流をなしているものは、液晶表示装置（Ｌｉｑｕｉｄ  Ｃｒｙｓｔａｌ  Ｄｉｓｐｌａｙ：ＬＣＤ）といえる。
【０００３】
ＬＣＤは、薄型の壁掛け型テレビ、ノート型パソコン、デスクトップコンピューター用モニター、航法装置、ＰＤＡ、携帯電話、ゲーム機に至るまで、多様な装置に応用されている。このような液晶表示装置の表示素子を構成する液晶は、自発光できず、印加される電気信号によって単純に光を透過するか、または遮断する機能を行うだけである。
【０００４】
そこで、液晶パネルに情報を表示するためには、液晶パネルを後方から照明するための面発光装置、所謂バックライトユニット（Ｂａｃｋ  Ｌｉｇｈｔ  Ｕｎｉｔ）が液晶表示装置内に別途に備えられなければならない。このようなバックライトユニットは、光の輝度を高め、均等な面光源を形成して液晶パネルを均一に照射しなければならず、これは製品の品質面で非常に重要であるといえる。
【０００５】
最近、画像表示装置の薄型化、高性能化、大型化の傾向により、薄厚でありながらも、ローカルディミング（ｌｏｃａｌ  ｄｉｍｍｉｎｇ）が可能であり、大画面液晶表示装置においても画質に優れたバックライトを具現するために活発な開発が行われている。
【０００６】
このような大画面液晶表示装置の場合、発光方向が一方向に向かうように複数の導光板が並列に配置されることにより、輝度勾配が不均一で、全体的な輝度均一度を減少させるという問題が発生する。
【０００７】
また、輝線または暗線が発生して、視認性の低下をもたらすことにより、導光板の厚さを増加させるか、または特殊パターンを追加で加工しなければならないという問題がある。
【０００８】
更に、ローカルディミング時に、境界部における視認性及び寿命の減少などの様々な問題によって開発に困難がある。
【発明の概要】
【発明が解決しようとする課題】
【０００９】
本発明の目的は、構造が簡単であり、大画面液晶表示装置で輝線または暗線の発生を防止することにより、輝度及び輝度均一度を向上させることができ、視認性の向上及び鮮明な画質の具現が可能なバックライトユニットを提供することにある。
【課題を解決するための手段】
【００１０】
本発明の実施例によるバックライトユニットは、複数の光源と、前記光源から放出された光が入射するように前記光源と交互に配置される複数の導光板と、前記光源と前記導光板とを格納するシャーシとを含み、前記複数の導光板は、前記シャーシの中央領域に向かうように対称をなして互いに離隔配置され、前記中央領域で向い合う一対の導光板は、互いに連結されて光が混合されることができる。
【００１１】
また、前記中央領域に配置される前記導光板は、一側面に光が入射する入光面を備え、前記入光面と対向する他側面に他の入光面を備えて、一対の入光面が前記導光板の中央領域を挟んで対称をなすことができる。
【００１２】
また、前記複数の光源は、それぞれ前記シャーシの中央領域方向に光を放出することができる。
【００１３】
また、前記光源は、前記シャーシの底面に水平に配置され、回路配線を備える基板と、ＬＥＤチップが前記導光板の入光面に向かうように前記基板上に垂直に実装される複数のＬＥＤパッケージとを含むことができる。
【００１４】
また、前記ＬＥＤパッケージは、前記回路配線と電気的に連結されるリード端子を本体の側面に沿って備え、前記側面を通じて前記基板上に実装されることができる。
【００１５】
また、前記リード端子は、前記本体の後面と水平に前記本体の短軸方向側面からそれぞれ突き出る第１のリードと、前記第１のリードの端部から垂直に折り曲げられて前記本体の正面に向かって延長され、一端部が前記本体の長軸方向側面に向かって垂直に折り曲げられて形成される第２のリードとを含むことができる。
【００１６】
また、前記第２のリードは、前記本体の短軸方向側面及び長軸方向側面と平行に形成され、全体的に「Ｌ」字状を有することができる。
【００１７】
また、前記光源は、前記複数のＬＥＤパッケージに備えられる各ＬＥＤチップが同一方向に向かうように、前記複数のＬＥＤパッケージが前記バー状の基板上に配列されることができる。
【００１８】
また、前記導光板は、前記入光面と対向する側端面に反射層をさらに備えることができる。
【００１９】
また、前記導光板の上部に配置され、光が提供される光学シートをさらに含むことができる。
【００２０】
一方、本発明の他の実施例によるバックライトユニットは、複数の光源と、前記光源から放出された光が入射するように前記光源と交互に配置される複数の導光板と、前記光源と前記導光板とを格納するシャーシとを含み、前記複数の導光板は、前記シャーシの中央領域に向かうように対称をなして互いに離隔配置され、前記複数の光源のうち導光板と他の導光板との間にそれぞれ配置される光源は、隣接した両側の導光板に光を放出して光が混合されることができる。
【００２１】
また、前記複数の光源は、各光源に隣接した導光板の入光面と他の導光板の側端面との間で、前記入光面と前記側端面との両方向に光を放出することができる。
【００２２】
また、前記光源は、前記シャーシの底面に水平に配置され、回路配線を備える基板と、ＬＥＤチップが前記導光板の入光面に向かうように前記基板上に垂直に実装される複数のＬＥＤパッケージとを含むことができる。
【００２３】
また、前記ＬＥＤパッケージは、前記回路配線と電気的に連結されるリード端子を本体の側面に沿って備え、前記側面を通じて前記基板上に実装されることができる。
【００２４】
また、前記リード端子は、前記本体の後面と水平に前記本体の短軸方向側面からそれぞれ突き出る第１のリードと、前記第１のリードの端部から垂直に折り曲げられて前記本体の正面に向かって延長され、一端部が前記本体の長軸方向側面に向かって垂直に折り曲げられて形成される第２のリードとを含むことができる。
【００２５】
また、前記第２のリードは、前記本体の短軸方向側面及び長軸方向側面と平行に形成され、全体的に「Ｌ」字状を有することができる。
【００２６】
また、前記光源は、前記複数のＬＥＤパッケージに備えられる各ＬＥＤチップが向かう方向が、それぞれに隣接する他のＬＥＤチップが向かう方向と１８０度変更されるように、前記複数のＬＥＤパッケージが前記バー状の基板上に交互に配列されることができる。
【００２７】
また、前記複数のＬＥＤパッケージが交互に配列される前記光源は、互いに隣接する導光板間の境界領域に配置されることができる。
【００２８】
また、前記導光板の上部に配置され、光が提供される光学シートをさらに含むことができる。
【発明の効果】
【００２９】
本発明の実施例によると、輝度勾配をより均一に合わせることが可能であり、複数の導光板が離隔配列される大画面液晶表示装置においても、輝度及び輝度均一度を向上させることにより、視認性が向上し、鮮明な画質の具現が可能であるという効果を有する。
【００３０】
また、導光板の構造を単純化して製造が容易であり、工程時間を短縮させることができるという長所を有する。
【図面の簡単な説明】
【００３１】
【図１】本発明の実施例によるバックライトユニットを示す斜視図である。
【図２】図１に示したバックライトユニットを示す平面図である。
【図３】（ａ）は図１に示したバックライトユニットの光源を構成するＬＥＤパッケージの正面を示す斜視図である。（ｂ）は図３ａのＬＥＤパッケージの後面を示す斜視図である。
【図４】図３のＬＥＤパッケージが全て同一方向に向かうように配列される構造の光源を示す斜視図である。
【図５】図１のバックライトユニットの変形例を示す斜視図である。
【図６】図５に示したバックライトユニットを示す平面図である。
【図７】本発明の他の実施例によるバックライトユニットを示す斜視図である。
【図８】図７に示したバックライトユニットを示す平面図である。
【図９】図３のＬＥＤパッケージが発光方向を異ならせて交互に配列される構造の光源を示す正面図である。
【図１０】図７のバックライトユニットの変形例を示す斜視図である。
【図１１】図１０に示したバックライトユニットを示す平面図である。
【発明を実施するための形態】
【００３２】
本発明によるバックライトユニットの実施例に関する事項を図面を参照して説明する。
【００３３】
しかし、本発明の実施例は、様々な他の形態に変形されることができ、本発明の範囲が以下に説明される実施例に限定されるものではない。本発明の実施例は、本発明が属する技術分野で通常の知識を持った者に本発明をより完全に説明するために提供されるものである。
【００３４】
よって、図面に示した構成要素の形状及び大きさ等は、より明確な説明のために誇張されることもあり、図面上で実質的に同一の構成と機能を有する構成要素には、同一の参照符号を付する。
【００３５】
図１から図６を参照して、本発明の一実施例によるバックライトユニットを説明する。
【００３６】
図１は、本発明の実施例によるバックライトユニットを示す斜視図であり、図２は、図１に示したバックライトユニットを示す平面図であり、図３ａは、図１に示したバックライトユニットの光源を構成するＬＥＤパッケージの正面を示す斜視図であり、図３ｂは、図３ａのＬＥＤパッケージの後面を示す斜視図である。
【００３７】
また、図４は、図３のＬＥＤパッケージが全て同一方向に向かうように配列される構造の光源を示す斜視図であり、図５は、図１のバックライトユニットの変形例を示す斜視図であり、図６は、図５に示したバックライトユニットを示す平面図である。
【００３８】
図１及び図２を参照すると、本発明の実施例によるバックライトユニット１は、導光板１０、光源２０、シャーシ３０を含んで構成され、前記導光板の図中上部に配置されて光が提供される、図示していない光学シートをさらに含むことができる。
【００３９】
前記導光板１０は、直方体状のプレート構造を有し、光源２０が配置されて光が入射する入光面１１は、前記導光板１０の長軸方向側面に沿って備えられることが好ましい。
【００４０】
前記導光板１０は、前記入光面１１に入射する光の円滑な誘導のために、ＰＭＭＡのような透明な樹脂からなってもよく、前記導光板１０の下部面には、凹凸などの特定パターン（不図示）を形成して、前記導光板１０の図中下部に向かう光を図中上部に反射させるようにすることができる。また、前記導光板１０は、前記入光面１１と対向する側端面１２に反射層（不図示）をさらに備えてもよい。
【００４１】
前記シャーシ３０は、導光板１０と前記光源２０とを内部に格納して支持するためのフレーム部材である。
【００４２】
前記シャーシ３０は、平らな底面３１と、前記底面３１の枠から図中上部に延長する側壁３２からなり、上部面（あるいは前面）が開放された箱型構造を有する。前記シャーシ３０は、強度及び放熱効率を考慮し、金属材質で形成されることが好ましいが、これに限られるものではない。
【００４３】
図示のように、前記導光板１０は、前記光源２０から放出された光が入射するように、前記光源２０と交互に複数が前記シャーシ３０の内部に配置され、液晶表示装置の設計サイズによって配置される前記導光板の個数を異ならせることができる。
【００４４】
特に、前記複数の導光板１０は、前記シャーシ３０の中央領域に向かうように対称をなして互いに離隔配置される。
【００４５】
具体的にみると、前記シャーシ３０を短軸方向に対称をなすように二等分して２個の領域に区分し、各領域に配置される導光板１０は、前記中央領域の等分線Ｃによって互いに対称をなす構造として配置される。
【００４６】
この時、各領域に配置される前記導光板１０は、入光面１１と対向する反対側の側端面１２がそれぞれ前記の中央領域に向かうように配置される。
【００４７】
このような導光板１０の配置構造を通じて、各導光板１０の入光面１１に配置される光源２０は、それぞれ前記シャーシ３０の中央領域方向に光Ｌを放出するようになり、それによって、一側面に向かって光を放出して該当側面の領域で輝度が高く表れて輝度勾配がばらつきになる従来のものと違って、バックライトユニット１の中央領域で輝度が高く表れて、輝度勾配が対称をなす構造となる。
【００４８】
これは、液晶表示装置において、全体的に視認性を向上させ、より鮮明な画質を具現するようにするという効果をもたらす。
【００４９】
図面においては、前記導光板１０が前記シャーシ３０の短軸方向側面を二等分して対称をなして配置される構造について示しているが、その他に、前記シャーシ３０の長軸方向側面を二等分して対称をなして配置されることも可能である。
【００５０】
図１及び図２のように、前記シャーシ３０の中央領域を基準として、一対の導光板１０が互いに向かい合いながら対称をなすように配置される場合、各導光板１０の入光面１１と対向する側端面１２が前記中央領域の等分線Ｃに沿って互いに面接触して連結される構造に配置されることができる。
【００５１】
そして、図５及び図６のように、前記等分線Ｃが導光板１０の中心に位置するように、前記シャーシ３０の中央領域に単一の導光板が配置される場合、前記導光板１０は、一側面に入光面１１を備え、前記入光面１１と対向する他側面に他の入光面１１を備えて、一対の入光面１１が前記導光板１０の中央領域と等分線Ｃを挟んで対称をなす構造に配置されることもできる。
【００５２】
この場合、前記中央領域に配置される導光板１０は、互いに対向する両側面にそれぞれ光源２０を備えて２個の光源２０を有する構造になる。
【００５３】
よって、前記中央領域に配置される前記導光板（あるいは、一対の導光板が互いに連結されて形成される導光板）で光が混合されることにより、輝度勾配が中央領域に向かうほど増加するという対称構造を有する。
【００５４】
一方、導光板１０の入光面１１に配置される前記光源２０は、基板２１と、前記基板２１上に実装される複数のＬＥＤパッケージ２２とを含む。
【００５５】
前記基板２１は、前記ＬＥＤパッケージ２２と電気的に連結される回路配線（不図示）を備え、前記導光板１０の長軸方向の長さと対応して、全体的にバー状の構造を有することができる。
【００５６】
前記基板２１は、前記シャーシ３０の底面３１に水平に配置されて取り付けられることができる。そこで、前記シャーシ３０との接触面積が増加して、前記ＬＥＤパッケージ２２から発生する熱が前記シャーシ３０により多く伝導されるようにして放熱効率を向上させることができる。
【００５７】
前記ＬＥＤパッケージ２２は、本体２３の内部に備えられるＬＥＤチップ２４が前記導光板１０の入光面１１に向かうように前記基板２１上に垂直に実装される。
【００５８】
図３（ａ）及び図３（ｂ）を参照して、前記ＬＥＤパッケージ２２の構造について詳しく説明する。
【００５９】
図面のように、前記ＬＥＤパッケージ２２は、シリコーンまたはセラミックからなる本体２３が直方体状を有し、前記本体２３の正面２２ａには、外部に開放された収容空間が形成されて、前記ＬＥＤチップ２４を取り付ける。
【００６０】
前記収容空間には、前記ＬＥＤチップ２４を保護するように、透明な密封部材２６が充填されてもよく、前記密封部材２６は、前記ＬＥＤチップ２４から放出される光の波長を変換するように蛍光体を含んでもよい。
【００６１】
前記ＬＥＤチップ２４が取り付けられる収容空間の底面には、前記本体２３を貫通するヒートシンク２７を備える一方、前記ヒートシンク２７は、前記本体２３の後面を通じて外部に露出するようにする。そこで、前記ＬＥＤチップ２４から発生する熱は、前記ヒートシンク２７を通じて直接的に外部に放出されて、放熱効率が向上する効果を得ることができる。
【００６２】
なお、前記ＬＥＤチップ２４と、前記回路配線（不図示）とを電気的に連結するリード端子２５を前記本体２３の側面に沿って備える。
【００６３】
具体的に、前記リード端子２５は、前記本体２３の後面２２ｂと水平に前記本体２３の短軸方向側面からそれぞれ突き出る第１のリード２５ａと、前記第１のリード２５ａの端部から垂直に折り曲げられて前記本体２３の正面２２ａに向かって延長され、一端部が前記本体２３の長軸方向側面に向かって垂直に折り曲げられて形成される第２のリード２５ｂとからなる。
【００６４】
また、前記第２のリード２５ｂは、前記第１のリード２５ａと連結されて一体をなし、前記本体２３の短軸方向側面及び長軸方向側面と平行に形成されて、全体的に「Ｌ」字状の構造を有する。
【００６５】
よって、前記リード端子２５が備えられる側面、具体的には、前記第２のリード端子２５ｂが備えられる長軸方向側面が、前記基板２１に向かうように実装されることにより、前記ＬＥＤパッケージ２２は、前記基板２１に垂直に実装される。
【００６６】
この時、前記第２のリード端子２５ｂが備えられる前記本体２３の長軸方向側面には、前記ヒートシンク２７が突き出て、前記第２のリード端子２５ｂと共に前記本体２３の長軸方向側面に水平に備えられることができる。
【００６７】
よって、前記本体２３を実装する時に、前記第２のリード端子２５ｂと共に前記ヒートシンク２７が前記基板２１と接触することにより、さらに広い実装面積を提供して安定した実装構造を有し、前記ヒートシンク２７を通じてＬＥＤチップ２４から発生する熱を基板２１に伝達することができ、熱放出効率が増大するという効果をさらに得ることができる。
【００６８】
なお、図４のように、前記複数のＬＥＤパッケージ２２は、各ＬＥＤチップ２４が全て同一方向に向かうように前記バー状の基板２１上に所定間隔で配列されることができる。
【００６９】
このように、本発明の実施例によるＬＥＤパッケージ２２及びシャーシ３０に水平に取り付けられる基板２１上に垂直に実装される構造は、従来と違って、光源の厚さを減少させることができ、導光板１０間における境界部領域の大きさを減少させることにより、視認性が低下するという問題を解決することが可能である。
【００７０】
図７から図１１を参照して、本発明の他の実施例によるバックライトユニットについて説明する。
【００７１】
図７は、本発明の他の実施例によるバックライトユニットを示す斜視図であり、図８は、図７に示したバックライトユニットを示す平面図であり、図９は、図３のＬＥＤパッケージが発光方向を異ならせて交互に配列される構造の光源を示す正面図である。図１０は、図７のバックライトユニットの変形例を示す斜視図であり、図１１は、図１０に示したバックライトユニットを示す平面図である。
【００７２】
図７から図１１で示すバックライトユニット１’は、その構成が図１から図６の実施例と実質的に同一である。即ち、複数の導光板は、シャーシの中央領域に向かうように対称をなし、互いに離隔配置される。
【００７３】
但し、複数の光源のうち導光板と他の導光板間にそれぞれ配置される光源は、隣接した両側の導光板に光を放出して光が混合されるという点で違いがあるので、図１から図６の実施例と同一の部分に対する説明は省略し、図７から図１１の実施例で異なる構成の光源を中心として詳述する。
【００７４】
図７及び図８のように、前記シャーシ３０の中央領域を基準とした一対の導光板１０が、互いに向かい合って対称をなすように配置される場合、前記各導光板１０の入光面１１と対向する側端面１２に向かうように互いに向い合う前記側端面１２との間に前記中央領域の等分線Ｃに沿って光源２０が配置されることができる。
【００７５】
この時、前記中央領域に配置される光源２０は、対称をなす両方向に向かって光Ｌを放出することができるように、前記ＬＥＤパッケージ２２の発光面である正面２２ａの方向を変更して交互に配列する構造を有する。
【００７６】
具体的には、図９のように、前記複数のＬＥＤパッケージ２２は、ＬＥＤチップ２４が向かう方向と、これと隣接する他のＬＥＤチップ２４が向かう方向とが１８０度変更（反転）されるように、前記バー状の基板２１上に交互に配列されることができる。
【００７７】
このような光源は、図１から図６の実施例による光源２０がある一方向のみに発光することと違って、両方向に光Ｌを放出して両方向発光が可能であるという点に特徴がある。
【００７８】
よって、導光板の入光面と側端面とに光が入射して混合することにより、導光板全体にわたって輝度が均一に表れ、これは、光源２０が配置される導光板１０の入光面１１の付近における輝度と、前記入光面１１と対向する反対側の側端面１２の付近における輝度との間に差が発生して、輝度均一度を落とすという短所を効率よく解決することができる。
【００７９】
また、液晶表示装置全体にわたって、より鮮明な画質を得ることができる優れた効果を有する。
【００８０】
特に、大画面液晶表示装置において、導光板１０を複数のブロック領域に分割してブロック別にローカルディミングを行う場合、境界領域における暗線の発生を遮断することにより、さらに鮮明な画質の具現が可能である。
【００８１】
一方、図１０及び図１１のように、前記等分線Ｃが導光板１０の中心に位置するように、前記シャーシ３０の中央領域に単一の導光板１０が配置される場合、前記導光板１０の両側面にそれぞれ備えられる光源２０は、前記図７のように、両方向に向かって光Ｌを放出する構造の光源２０が配置されてもよい。
【００８２】
特に、このような複数のＬＥＤパッケージ２２が発光方向を異ならせて交互に配列される構造の光源２０は、互いに隣接する導光板１０間の境界領域に配置されることであり、そこで、両導光板１０の入光面と側端面とに向かって光を放出するようにする。
【００８３】
さらに、前記シャーシ３０の側壁３２に沿って配置される光源２０は、隣接した導光板１０の入光面１１のみに向かって発光すればよいので、図１のように、各ＬＥＤパッケージが同一方向に向かうように配列される構造の光源が使われることができる。
【符号の説明】
【００８４】
１、１’  バックライトユニット
１０  導光板
１１  入光面
１２  側端面
２０  光源
２１  基板
２２  ＬＥＤパッケージ
３０  シャーシ
３１  底面
３２  側壁
【図１】
2011096634.tif 000003
【図２】
2011096634.tif 000004
【図３】
2011096634.tif 000005
【図４】
2011096634.tif 000006
【図５】
2011096634.tif 000007
【図６】
2011096634.tif 000008
【図７】
2011096634.tif 000009
【図８】
2011096634.tif 000010
【図９】
2011096634.tif 000011
【図１０】
2011096634.tif 000012
【図１１】
2011096634.tif 000013